(57)【要約】【課題】尻飼石の使用を余儀なくされていた従来のコンクリート積みブロックの施工方法を抜本的に改善するため、非自立型コンクリート積みブロックの背面に小さな穴を設け、この穴に短い棒材の一端を挿し、その棒材の他端部を後方栗石（支持構造体）上で高さ調整し、ブロック姿勢を保ち、ブロックと裏込めコンクリートとの間には尻飼石は一切用いないようにした新規工法に用いて有用なブロック支持材を提供する。【解決手段】ブロック支持材の強度を裏込めコンクリート幅で支持してその中央に５０ｋｇ以上の力を加えたとき２ｍｍ以上変形しない断面構造とし、その長さＭをブロックの穴の深さａと、裏込めコンクリートの幅ｂと、支持長さｃの和として整調した。【選択図】      図1
0003121743.tif 000002
【実用新案登録請求の範囲】
【請求項１】
積みブロックの背面に明けた穴の中に棒状材を挿し、その棒状材の他端を裏込めコンクリート層を介して支持構造体上で支持し、ブロック姿勢を保った上で裏込めコンクリートを打設するようにしたブロック積み工法で用いるブロック支持材であって、
前記裏込めコンクリートの幅で両端支持してその中央に５０ｋｇ以上の重量を加えた場合の中央部の曲がり量が２ｍｍ以下となる断面構造を有し、
前記積みブロックの背面に明けた穴深さａと、前記裏込めコンクリートの幅ｂと、前記支持構造体上での支持寸法ｃとの和Ｍの長さを定め、前記ブロックの種別及びその積み工法毎に最も適切なサイズとして複数段の定寸寸法に整調して成ることを特徴とするブロック支持材。
【請求項２】
前記棒状材は、中空構造をなすことを特徴とする請求項１記載のブロック支持材。
【考案の詳細な説明】
【技術分野】
【０００１】
積みブロックの背面に明けた穴の中に棒状材を挿し、その棒状材の他端を裏込めコンクリート層を介して支持構造体上で支持し、ブロック姿勢を保った上で裏込めコンクリートを打設するようにしたブロック積み工法で用いるブロック支持材に関する。
【背景技術】
【０００２】
道路工事や河川改修工事では、山手側にコンクリート製の積みブロックを積み上げ、擁壁面が形成される。積みブロックには、自立型と非自立型とがあり、非自立型のものにあっては、基礎上に積み上げて行く際、自立できないのでその裏面に埋込めコンクリートを打つまでの間、何らかの形で姿勢を正し、支持しなければならない。
【０００３】
図６は、従来の非自立型コンクリート積みブロックの施工方法の一例を示す側断面図である。斜面１を切り取り、基礎２を作って後、斜面１に栗石３を並べ、高さＬ１まで１層目の裏込め（胴込とも呼ぶ）コンクリートＣ１を打ち、その上に第１段のコンクリート積みブロックＢ１を載せ、位置決めして後第２層の裏込めコンクリートＣ２を打つ。同様手順で第２段のコンクリート積みブロックＢ２を位置決めし、裏込めコンクリートＣ３を打つ。同様手順を繰り返し、第３、第４段のコンクリート積みブロックＢ３、Ｂ４・・・が積み重ねられる。
【０００４】
ここで問題となるのは、コンクリート積みブロックＢi（i＝１、２、３・・・）を積むためには、その前工程として裏込めコンクリートＣj（j＝１、２、３・・・）が確実に硬化していることが必要であるという点である。コンクリートの硬化には時間がかかるので、待ち時間が必要となる。
【０００５】
また、他の問題点は、裏込めコンクリートＣjは、必ずしも高さが一定していないので、コンクリート積みブロックＢiの姿勢を正しく保つためには、裏込めコンクリートＣjに対しコンクリート積みブロックＢiの背面部分の高さを調節しなければならず、例えばクサビ状の尻飼石４を充填せざるを得なかった点である。尻飼石４の充填は好ましくないが、止むを得ず充填されている。尻飼石４の充填による微調整は、裏込めコンクリートＣjが完全硬化していることが必要であるし、かつ不安定で、次の裏込めコンクリートＣj投設のときにずれてしまう可能性もある。
【０００６】
尻飼石４の充填を止めるためには、コンクリートＣjの天端面高さを正確に定めるしかないが、生コンクリートの高さＬ１、Ｌ２、Ｌ３、Ｌ４を１mm精度で仕上げるのは実際不可能である。既に示したように、尻飼石４の使用に当っては裏込めコンクリートＣjが相応に硬化していることが必要であるが、そのため、高さＬ１、Ｌ２、Ｌ３、Ｌ４に示す部分の表面が分離層として構成されてしまい、これが構築物の弱点となる。尻飼石の使用は現在も禁止されている。しかし、これを改善する適当な工法がないまま今日に至っているのである。
【０００７】
上記従来例は、最も一般的なコンクリート積みブロックの施工方法であり、単純、当然の施工方法であり、これを改善した従来工法は見当らない。敢えて示せば、特許第3502081号公報（護岸構造及び護岸施工方法、並びに護床構造及び護床施工方法）がある。
【０００８】
特許第3502081号公報の構造は、表層材を合成樹脂としたもので、コンクリートの背面にアンカー材５を設けたものである。このアンカー材５は、コンクリートの製作と同時に枠内に挿入することでコンクリート中に固定される。鉄筋はコンクリートブロックに確実に定着し、コンクリートの硬化後はコンクリートブロックと鉄筋の間に相当量の引抜き抵抗力を保持させて構築構造体の一体化を図ることを目的としている。ブロックに固定されたアンカーを裏込めコンクリート投設前にどのように位置決めするかは定かでない。また、一般的な小型の積みブロックにおいて鉄筋を突き挿した形の積みブロックは、搬送が大変で積み荷の荷姿をどうするかが問題となる。
【０００９】
特開2002−81039号公報（土木構築物用施工石）には、自然石の積み上げ施工を容易にするために、自然石に棒状部材を一体化し、裏込め砕石に対して係合力を高めるようにしたものである。しかし、これら自然石の積み方はコンクリート積みブロックの積み方とは全く異なるので、一般的な積みブロックに対しては何ら参考とできない。また、裏込めコンクリートを用いる場合の棒状部材の有効性については何ら考慮されていない。
【００１０】
そこで、これら従来技術に鑑みて、非自立型のコンクリート積みブロックを、裏込めコンクリートの完全硬化を待つまでもなく次段のコンクリート積みブロックを積み上げてゆくことが可能であり、かつ前段裏込めコンクリートとの間に尻飼石をすることなくブロック姿勢を正しく調整できる特殊なコンクリート積みブロックの施工方法（特願2004-269823）を提案した。
【００１１】
この特殊なコンクリート積みブロックの施工方法は、非自立型コンクリート積みブロックの背面に短かな棒材の一端を挿入可能な有底の穴を設け、所要長さに調節された直線状の短い棒材の一端を前記穴に挿し、その他端を前記背面より後方の支持構造体上で支持して、前記棒材を両者の間に加えた手操作に基づく前記穴の出口付近での折曲げによる微調整又は及び前記棒材の他端の上下操作による微調整に基いて各積みブロックの傾斜角度を調整し、調整されたブロック姿勢を保ちつつ順次横方向に積みブロックを積んでゆき、又は複数段のブロック積みを行った後に前記棒材を含めて裏込めコンクリートを投設し、順次多段のブロック積みを行うというものである。
【００１２】
コンクリート積みブロックは、順次横に、そして縦に積まれてゆく。この発明方法では、適宜長さに調整された直線状の短い棒材の一端をブロック背面に設けた穴に挿し、その他端を前記背面より後方の栗石等支持構造体上で支持して、各積みブロックの傾斜角度を調整し、調整されたブロック姿勢を保ちつつ順次横方向に積みブロックを積んで行く。このとき、各ブロックの背面に従来例で示した尻飼石を用いない。即ち、各ブロックは、棒材を介してその後方の支持構造体間で固定される。そして一又は複数段のブロック積みを行った後に前記棒材を含めて裏込めコンクリートを打設する。裏込めコンクリートの打設時点の制約が少なく、かつ完全硬化させる必要がないので、作業を迅速に行うことができ、かつ各ブロックを確実に固定してゆくことができる。
【００１３】
しかしながら、この工法では、棒状材を適当に準備すべしとしていたため、強度不足で折れ曲ったり、長さが合わず作業工程を劣化していた。裏込めコンクリートの幅も誤差があり、都度鉄筋を準備するのが大変であった。
【特許文献１】特許第3502081号公報、第１頁、図５
【特許文献２】特開2002−81039号公報、第１頁、図１
【考案の開示】
【考案が解決しようとする課題】
【００１４】
本考案は、積みブロックの背面に明けた穴の中に棒状材を挿し、その棒状材の他端を裏込めコンクリート層を介して支持構造体上で支持し、ブロック姿勢を保った上で裏込めコンクリートを打設するようにしたブロック積み工法で用いる棒状材において、単にブロックを支持するだけでなく、使い勝手がよく、高品質の支持ができ、しかも仕上りコンクリートブロック擁壁の品質を向上することができるブロック支持材を提供することを目的とする。
【課題を解決するための手段】
【００１５】
上記課題を解決するための本考案のコンクリートブロック支持材は、積みブロックの背面に明けた穴の中に棒状材を挿し、その棒状材の他端を裏込めコンクリート層を介して支持構造体上で支持し、ブロック姿勢を保った上で裏込めコンクリートを打設するようにしたブロック積み工法で用いるブロック支持材であって、前記裏込めコンクリートの幅で両端支持してその中央に５０ｋｇ以上の重量を加えた場合の中央部の曲がり量が２ｍｍ以下となる断面構造を有し、前記積みブロックの背面に明けた穴深さａと前記裏込めコンクリートの幅ｂと前記支持構造体上での支持寸法ｃとの和Ｍ（Ｍ＝ａ＋ｂ＋ｃ）の長さを定め、前記ブロックの種別及びその積み工法毎に最も適切なサイズとして複数段の定寸寸法に整調して成ることを特徴とする。
【００１６】
本考案のブロック支持材は、その長さＭをブロックの背面に明けた穴深さａと、裏込めコンクリートの幅ｂと、支持構造体上での適正支持長さｃの和としているので、一つの現場における一設計に対し最適長さとされており、都度鉄筋を切断して支持材にするのと異なり、鉄筋切断の手間が不要で、各ブロックを積み重ねてゆくのに手際よく利用できる。
【００１７】
しかも、その強度を裏込めコンクリートの幅で両端支持してその中央に人の平均体重に相当する５０ｋｇの力を加えても、その中央が２ｍｍ以上は曲がらないだけの強度としているので、ブロック支持後に人の足で誤って踏んでも位置ずれを生ずることがない。また、裏込めコンクリート投設のときに、生コンが降り注がれて接触しても位置ずれを生ずる恐れがない。
【００１８】
前記棒状材は、中空構造をなす中空パイプ材で構成することができる。
【００１９】
この中空パイプによるコンクリートブロック支持材を用いれば、コンクリートブロックと支持構造体とが中空パイプで連結された構造となるので、前述の作用に加え、裏込めコンクリートを打設後に支持構造体中に蓄積される雨水をコンクリートブロック側に排出できる。
【考案の効果】
【００２０】
以上の通り、本考案は実用新案登録請求の範囲に記載の通りのブロック支持材であるので、積みブロックの背面に明けた穴の中に棒状材を挿し、その棒状材の他端を裏込めコンクリート層を介して支持構造体上で支持する場合、適切強度、適正寸法に整調されたブロック支持材を使用することができるので、使い勝手がよく、施工を円滑に行うことができ、高品質のブロック積みを行うことができる。都度、鉄筋を切断してその場準備するのと異なり、既製品として工法に見合ったブロック支持材として提供できるので、規定の工法を規定の通りに円滑に施工できる。
【００２１】
また、棒状材を中空構造とすれば、支持構造体とコンクリートブロックとを中空パイプで連通した形となり、支持構造体中に蓄積される雨水をブロック側に排出でき、擁壁品質を向上できる。
【考案を実施するための最良の形態】
【００２２】
以下、添付図面を参照して本考案を実施するための最適の形態を説明する。図１は本考案の一実施形態に係るブロック支持材の説明図で、（ａ）図は側面図、（ｂ）図はその拡大断面図を示す。図２は他の実施形態を示す説明図で、（ａ）図は側面図、（ｂ）図はその拡大断面図である。図１のものは棒材、図２は中空パイプ材である点が異なる。
【００２３】
図１において、本考案のブロック支持材５は、裏込めコンクリートの幅ｂで両端支持してその中央に５０ｋｇ以上（Ｆ）の重量を加えた場合の中央部の曲がり量αが２ｍｍ以下となる断面構造（直径Ｄ１ｍｍのムク材）を有し、積みブロックの背面に明けた穴深さａと、前記裏込めコンクリートの幅ｂと、前記支持構造体上での支持寸法ｃとの和Ｍ（Ｍ＝ａ＋ｂ＋ｃ）の長さとし、ブロックの種別及びその積み工法毎に最も適切なサイズとして複数段の定寸寸法に整調して成る。
【００２４】
図２に示すように、前記棒状材は、外径Ｄ２、内径Ｄ３の中空構造のブロック支持材６とすることもできる。中空構造とした場合には、支持構造体とブロックとを連通し、支持構造体の雨水をブロック側に排水できるという特別の効果を有する。
【００２５】
以下、本考案のブロック支持材５、６について、実際工法への適用例を示す。
【００２６】
図４に示すように、コンクリート積みブロック７は、その背面７ｂの中心部に直径ｄ、深さａの小さな穴８を１つ設けた構造である。コンクリート積みブロック７は、工場での成型時に予め穿孔したものを搬入するか、もしくは施工現場に搬入された時点でコンクリートドリル等を用いて穿孔することでも対応できる。ドリル穿孔には手間を要するので、成型によるのが好ましい。直径ｄは、ブロック支持材５を容易に抜き差しできる程度とする。
【００２７】
深さａは、ブロック支持材５の一端５ａを挿し込んだ状態で他端を左右に移動させたとき、テコの原理でブロック前面７ａの角度変更をでき、かつブロック７を固定した状態ではブロック支持材５を背面７ｂ付近で折曲げることができる寸法とする。
【００２８】
ブロック支持材５は、コンクリート積みブロック７とは全く別途に準備する。コンクリート積みブロック７は、例えばコンクリート工場で製造されるものであり、これを現場搬入した後、製品として別途準備したブロック支持材５を組み合わせ、図４の状態で使用する。
【００２９】
ブロック支持材５は、鉄材又は高強度のプラスチック等で製造できる。一般には２０〜４０ｃｍ程度である。これらブロック支持材５は、量産して提供する。裏込めコンクリートの幅の変更に伴い３種程度準備される。いずれの場合も、図１で示した要領にて、その中央を５０ｋｇの力で押圧しても、それによって２ｍｍ以上曲がることのない強度とする。従って、工事中、中央を踏みつけ生コンを投入してもブロックが大きくずれることはない。
【００３０】
図３に示すように、法面１に沿って栗石３を高さＬ１まで積む。この高さＬ１は、従来例で示した第１層の裏込めコンクリートＣ１の高さである。この工法では、裏込めコンクリート９−１を用いるが、打設の時点が従来例と異なる。即ち、裏込めコンクリート９−１は、コンクリート積みブロック７−１を積む前に投設しても良く、その後の投設であっても良い。
【００３１】
コンクリート積みブロック７−１の背面７ｂには、ブロック支持材５が挿してある。そこで、ブロック支持材５の他端５ｂを栗石３上で高さ調整し、コンクリート積みブロック７の基礎２上、又は前段コンクリート積みブロック７の上での姿勢を正し、位置決め固定する。
【００３２】
栗石３上でのブロック支持材５の他端５ｂの高さ調節は、容易に行うことができる。栗石３上での詰石を行っても良く、栗石３の寸法を調整しても良い。また、ブロック背面７ｂ付近でブロック支持材５を折曲げるのも構わない。高強度としているが、テコの原理で曲げられる。
【００３３】
続いて、次段、例えば第２段のコンクリート積みブロック７−２を積み上げることができる。このとき、今回分裏込めコンクリート９−２に併せて前段分の裏込めコンクリート９−１を投設しても良い。このように、裏込めコンクリート９は、複数段分併せて打設することも可能であるが、前段分を確実に固定してゆくためには、やはり、１段づつ投設して行く方が良い。
【００３４】
かくして、この工法では、尻飼石４を用いないので、裏込めコンクリートが未硬化の状態で次段を積み上げてゆくことができる。裏込めコンクリートが未硬化状態で積みブロックの構築が連続作業で行われるため、次段の裏込めコンクリートとの付着性が向上し堅固な擁壁を構築できる。
【００３５】
次に、図５を用いて積みブロックがポーラスコンクリートブロック１０（１０−１、１０−２）である場合の好適な適用例について示す。
【００３６】
まず第１段の栗石３を積み、ポーラス製のコンクリート積みブロック１０−１を積む。このとき、栗石３上でブロック支持材６を用いてコンクリートブロック１０−１の角度を調整する。次いで横方向のコンクリートブロックを積んでから、裏込めコンクリート９−１を軽く打つ。その後、裏手に次の栗石３を積み、抜き型枠１１を用いて残り裏込めコンクリートを適切に打ち、次のコンクリートブロック１０−２を積む。栗石３の積み方に関しては、栗石３と裏込めコンクリート９との間に抜き型枠１１を介在させ、その裏側に裏栗石３を入れ、抜き型枠１１を引き抜き、栗石３を上段へ積み上げて行く。勾配や法線の出入りの調整は、ブロック１０から突き出したブロック支持材６で容易に決めることが出来る。裏込めコンクリート９の完全硬化を待たずして、連続して構築作業を継続できるからコールドジョイントによる構造物の弱点も排除して、作業効率を大幅に改善することが出来る。抜き型枠１１を用いるので、栗石３中に生コンが侵入せず通水性を確保できる。
【００３７】
法面１には栗石３を積み、コンクリートのブロック１０を用い、両者の間を中空構造のブロック支持材６を用いたので、排水性が格別良好な擁壁面を構築できる。
【００３８】
本考案は、上記実施形態に限定されるものではなく、本考案の要旨を逸脱しない範囲で設計的変更可能であり、各種態様で実施できる。
【図面の簡単な説明】
【００３９】
【図１】本考案の一実施形態に係るブロック支持材を示し、（ａ）図は側面図を、（ｂ）図は断面図を示す。
【図２】本考案の他の実施形態に係るブロック支持材を示し、（ａ）図は側面図を、（ｂ）図は断面図を示す。
【図３】本考案の適用例を示す側断面図である。
【図４】本考案で用いるコンクリート積みブロックの断面図である。
【図５】本考案の他の適用例を示す断面説明図である。
【図６】従来のコンクリート積みブロックの施工例を示す側断面図である。
【符号の説明】
【００４０】
１  法面
２  基礎
３  栗石
４  尻飼石
５、６  ブロック支持材
７（７−１、７−２、７−３、７−４）  コンクリート積みブロック
８  穴
９（９−１、９−２、９−３、９−４）  裏込めコンクリート
１０（１０−１、１０−２）  ポーラスコンクリートブロック
１１  抜き型枠
ａ  穴の深さ
ｂ  裏込めコンクリートの幅
ｃ  支持材の長さ
Ｍ  支持材の全長
【図１】
0003121743.tif 000003
【図２】
0003121743.tif 000004
【図３】
0003121743.tif 000005
【図４】
0003121743.tif 000006
【図５】
0003121743.tif 000007
【図６】
0003121743.tif 000008